(57)【要約】      （修正有）【課題】高強度、低重量、かつ不燃性であり、更に透過損失を向上させた防音特性を備えたハニカムサンドイッチパネルを提供する。【解決手段】この実施形態は、アルミニウム系合金板から成るハニカムコア１の上下面に、アルミニウム系合金板から成る上面板２と下面板３とを図示しない固定手段を介して固定し、前記音源側と成る下面板３には、所定の厚さｔで、所定幅の帯状に形成したアルミニウム系合金板６を介在させて鉄系合金板から成る金属板７が固定手段８を固定し、更に下面板３と金属板７との間には、帯状に形成したアルミニウム系合金板６により区画形成された所定の大きさの空間部Ｓ（空気層）が形成してある。【選択図】  図２
2008018600.tif 000002
【特許請求の範囲】
【請求項１】
ハニカムコアの上下面に、固定手段を介して上面板と下面板とを固定して成るハニカムサンドイッチパネルにおいて、
金属板または軽金属板から成るハニカムコアの上下面に、金属板または軽金属板から成る上面板と下面板とを固定すると共に、音源側の上面板または下面板の一方に所定の厚さ及び幅のアルミニウム系合金板を介在させて金属板を固定し、前記上面板または下面板と金属板との間に所定の空間部を形成したことを特徴とする防音特性を備えたハニカムサンドイッチパネル。
【請求項２】
前記アルミニウム系合金板のパネル投影面積は、前記空間部のパネル投影面積よりも小さく設定した請求項１に記載の防音特性を備えたハニカムサンドイッチパネル。
【請求項３】
前記アルミニウム系合金板の厚さを、０．５ｍｍ〜５ｍｍの範囲に設定した請求項１または２に記載の防音特性を備えたハニカムサンドイッチパネル。
【請求項４】
前記アルミニウム系合金板を帯状に形成した請求項１，２または３に記載の防音特性を備えたハニカムサンドイッチパネル。
【請求項５】
前記ハニカムコアと上面板及び下面板とを、アルミニウム系合金板により形成した請求項１，２，３または４に記載の防音特性を備えたハニカムサンドイッチパネル。
【請求項６】
前記金属板が、鉄系合金板である請求項１，２，３，４または５に記載の防音特性を備えたハニカムサンドイッチパネル。
【請求項７】
前記金属板の固定手段が、リベット、タッピングビス、ネジ、接着剤、両面テープ及びロウ付けの中から選ばれた一つを使用する請求項１，２，３，４，５または６に記載の防音特性を備えたハニカムサンドイッチパネル。
【発明の詳細な説明】
【技術分野】
【０００１】
この発明は、車両用床や航空機用床等に使用される防音特性を備えたハニカムサンドイッチパネルに係わり、更に詳しくは透過損失を向上させ、かつ高強度、低重量、不燃性を備えた防音特性を備えたハニカムサンドイッチパネルに関するものである。
【背景技術】
【０００２】
一般に音に対する静寂性に関しては、建築材料としての防音壁や防音床等、種々の材料が存在するが、特に車両用床や航空機用床等に使用される床板の場合には、防音特性向上に加えて、高強度、低重量で、かつ火災等を防止するため不燃性材料であることが要望されている。
【０００３】
ところで、従来の床板としては、ハニカムコアの上下面に、固定手段を介して上面板と下面板とを固定して成るハニカムサンドイッチパネルが知られており、特にハニカムサンドイッチパネルとしては、図５に示すように、アルミニウム板から成るハニカムコア１と、このハニカムコア１の上下面に接着剤等の固定手段４を介してアルミニウム板から成る上面板２及び下面板３とを積層させて構成したものや、図６に示すようにアルミニウム板から成るハニカムコア１と、このハニカムコア１の上面にアルミニウム板から成る上面板２を固定手段４を介して固定し、またハニカムコア１の下面に接着剤等の固定手段４を介してゴム板５を固定し、更にゴム板５の表面にアルミニウム板から成る下面板３や、または繊維強化プラスチック（ＦＲＰ）から成る下面板３ａを積層させて構成したものも提案されている（例えば、特許文献１参照）。
【０００４】
然しながら、前者のハニカムコア１及び上下面板２，３をアルミニウム板で構成したものは、低重量であるが、防音特性（遮音性能，制振性能）の点において満足できるものではなく、また後者のゴム板５の表面にアルミニウム板から成る下面板３や、繊維強化プラスチック（ＦＲＰ）から成る下面板３ａを積層させたものは、強度及び防音特性（遮音性能，制振性能）については良好であるが、構成部品の燃焼性において極難燃性以上の要求を満足することが出来ず、車両床への採用は課題が残されていた。
【特許文献１】特開平６−１９０９５７号公報
【発明の開示】
【発明が解決しようとする課題】
【０００５】
この発明はかかる従来の問題点に着目し、高強度、低重量、かつ不燃性であり、更に透過損失を向上させた防音特性を備えたハニカムサンドイッチパネルを提供することを目的とするものである。
【課題を解決するための手段】
【０００６】
この発明は上記目的を達成するため、金属板または軽金属板から成るハニカムコアの上下面に、金属板または軽金属板から成る上面板と下面板とを固定すると共に、音源側の上面板または下面板の一方に所定の厚さ及び幅のアルミニウム系合金板を介在させて金属板を固定し、前記上面板または下面板と金属板との間に所定の空間部を形成したことを要旨とするものである。
【０００７】
ここで、前記アルミニウム系合金板のパネル投影面積は、前記空間部のパネル投影面積よりも小さく設定し、また前記アルミニウム系合金板の厚さを、０．５ｍｍ〜５ｍｍの範囲に設定し、更に前記アルミニウム系合金板を帯状に形成するものである。
【０００８】
また、前記ハニカムコアと上面板及び下面板とを、アルミニウム系合金板により形成し、前記金属板が、鉄系合金板であり、更に前記金属板の固定手段が、リベット、タッピングビス、ネジ、接着剤、両面テープ及びロウ付けの中から選ばれた一つを使用するものである。
【０００９】
このように構成することで、重量当たりの透過損失を向上させ、特に高強度、低重量、かつ不燃性であり、更に透過損失を向上させることが出来るものである。
【発明の効果】
【００１０】
この発明は、上記のように金属板または軽金属板から成るハニカムコアの上下面に、金属板または軽金属板から成る上面板と下面板とを固定すると共に、音源側の上面板または下面板の一方に所定の厚さ及び幅のアルミニウム系合金板を介在させて金属板を固定し、前記上面板または下面板と金属板との間に所定の空間部を形成したので、以下のような優れた効果を奏するものである。
(a).透過損失を向上させることで防音特性を向上させることが出来る。
(b).高強度、低重量、かつ不燃性であり、特に車両用床や航空機用床等に使用される防音床板の場合には有効である。
【発明を実施するための最良の形態】
【００１１】
以下、添付図面に基づき、この発明の実施形態を説明する。
なお、従来例と同一構成要素は、同一符号を付して説明は省略する。
【００１２】
図１はこの発明の第１実施形態を示すハニカムサンドイッチパネルの一部横断平面図、図２は図１のＸ−Ｘ矢視の一部拡大端面図を示し、この実施形態は、アルミニウム系合金板から成るハニカムコア１の上下面に、アルミニウム系合金板から成る上面板２と下面板３とを図示しない固定手段を介して固定し、前記音源側と成る下面板３には、所定の厚さｔ（例えば、0.5 ｍｍ〜５ｍｍ）で、所定幅の帯状に形成したアルミニウム系合金板６を介在させて鉄系合金板から成る金属板７が固定手段８を固定し、更に下面板３と金属板７との間には、帯状に形成したアルミニウム系合金板６により区画形成された所定の大きさの空間部Ｓ（空気層）が形成してある。
【００１３】
前記アルミニウム系合金板６のパネル投影面積は、前記空間部Ｓのパネル投影面積よりも小さく設定するものである。また、この実施形態の防音特性を備えたハニカムサンドイッチパネルとしては、実施例として、例えば長さＬ（2,000mm), 幅Ｈ(1,000mm) のパネルの場合、帯状に形成したアルミニウム系合金板６は、図１に示すように、幅60mm, 厚さ1mm のものを所定の間隔を隔てて配設し、アルミニウム系合金板６と下面板３と金属板７との間に、所定の面積を有する空間部Ｓ（空気層）を形成するものである。
【００１４】
前記アルミニウム系合金板とは、アルミニウム、ジュラルミン等、アルミニウムを主成分とする合金板であり、また鉄系合金板とは、鋼、ステンレス鋼、マルエージング鋼等、鉄を主成分とする合金板である。また前記固定手段８としては、リベット、タッピングビス、ネジ、接着剤、両面テープ及びロウ付けの中から選ばれた一つを使用し、この実施形態では固定手段８としてリベットを使用している。
【００１５】
〔透過損失評価試験〕
（１）試験方法
JIS A 1416-2000 「実験室における建築部材の空気音遮断性能の測定方法」に基づき実  施した。測定計器・測定方法は、図５に示す方法で行った。
供試体寸法：1000(mm)×2000(mm)
（２）評価試験
上記のような各実施形態に基づき、上記の透過損失評価試験を行った結果、図３のグラフ説明図に示すように透過損失の向上が見られた。
【００１６】
即ち、グラフＡは従来のハニカムサンドイッチパネル、グラフＢは下面板３に鉄系合金板を固定した比較例、グラフＣは下面板３に所定の厚さｔ（例えば、0.5 ｍｍ〜５ｍｍ）で、所定幅の帯状に形成したアルミニウム系合金板６を介在させて鉄系合金板から成る金属板７が固定手段８を固定し、下面板３と金属板７との間には、帯状に形成したアルミニウム系合金板６により区画形成された所定の大きさの空間部Ｓ（空気層）が形成したこの発明の実施例である。
【００１７】
このグラフ説明図から明らかなように、下面板３に所定の厚さｔで、所定幅の帯状に形成したアルミニウム系合金板６を介在させて鉄系合金板から成る金属板７が固定手段８を固定し、下面板３と金属板７との間に所定の大きさの空間部Ｓ（空気層）が形成した場合には、全ての周波数において透過損失が向上していることが判った。
【図面の簡単な説明】
【００１８】
【図１】この発明の第１実施形態を示すハニカムサンドイッチパネルの一部横断平面図である。
【図２】図１のＸ−Ｘ矢視の一部拡大端面図である。
【図３】この発明の実施例について透過損失評価試験を行った結果のグラフ説明図である。
【図４】ハニカムサンドイッチパネルの透過損失評価試験を行う測定方法の説明図である。
【図５】従来のハニカムサンドイッチパネルの断面図である。
【図６】従来の他のハニカムサンドイッチパネルの断面図である。
【符号の説明】
【００１９】
１  ハニカムコア              ２  上面板
３  下面板                    ４  固定手段
５  ゴム板                    ６  アルミニウム系合金板
７  金属板                    ８  固定手段
Ｓ  空間部Ｓ（空気層）
【図１】
2008018600.tif 000003
【図２】
2008018600.tif 000004
【図３】
2008018600.tif 000005
【図４】
2008018600.tif 000006
【図５】
2008018600.tif 000007
【図６】
2008018600.tif 000008